(57)【特許請求の範囲】
【請求項１】
周壁に開口が形成され、後端にマイクロホンユニットが連結された音響管と、前記音響管を収容する筒状のマイクロホンケースとを具備する狭指向性マイクロホンであって、
前記音響管の外周面に設けられ、前記開口を覆う第１の音響抵抗材と、
前記第１の音響抵抗材と前記マイクロホンケースの内周面との間に設けられ、厚み方向に所定の弾性力を有する第２の音響抵抗材とを備え、
前記第２の音響抵抗材は、前記第１の音響抵抗材を覆うと共に、前記音響管に対し固定され、且つ、前記音響管の外周面と前記マイクロホンケースの内周面とに対し、その弾性力により押圧していることを特徴とする狭指向性マイクロホン。
【請求項２】
前記マイクロホンケースの周壁には、前記音響管の開口に対応して開口が形成され、
前記第２の音響抵抗材は、前記音響管の外周面における開口の周縁部と前記マイクロホンケースの内周面における開口の周縁部とに対し、その弾性力により押圧していることを特徴とする請求項１に記載された狭指向性マイクロホン。
【請求項３】
前記第２の音響抵抗材を覆うと共に、前記音響管に対し固定された金属網を備え、
前記金属網は、前記マイクロホンケースの内周面に対し、前記第２の音響抵抗材の弾性力により押圧していることを特徴とする請求項１または請求項２に記載された狭指向性マイクロホン。
【発明の詳細な説明】
【技術分野】
【０００１】
本発明は、周壁に形成された開口が不織布などの音響抵抗体により覆われ、後端にマイクロホンユニットが装着された音響管を、筒状のマイクロホンケースに収容してなる狭指向性マイクロホンに関し、特に、前記音響管及び音響抵抗体の振動に起因する異音の発生を防止する狭指向性マイクロホンの技術に関する。
【背景技術】
【０００２】
狭指向性マイクロホンとして、細長い音響管を用いるものが知られている。これは、音響管の後端にマイクロホンユニットを装着し、音響管の前端の開口から入ってくる音波をマイクロホンユニットで検出し音声信号に変換するものである。
音響管を用いる従来の狭指向性マイクロホンの例として、図４に示すように金属管からなる音響管５０を用い、この音響管５０の周壁にスリット状の開口５１を中心軸線方向に沿って設け、合成樹脂薄膜、或いは不織布などからなる音響抵抗体５２を音響管５０の周壁に貼り付けて、前記開口５１を前記音響抵抗体５２で覆ったものがある。
【０００３】
かかる構成の狭指向性マイクロホンは、音響管５０の前端開口５３から入る音波のうち、周方向から回り込んでくる音波を、音響抵抗体５２を経て音響管５０の周壁開口５１から導かれる音波と干渉させることにより、狭指向性を実現している。
尚、前記のように細長い音響管を用いる狭指向性マイクロホンについては、特許文献１に開示されている。
【先行技術文献】
【特許文献】
【０００４】
【特許文献１】特開２０１０−２４５９９４号公報
【発明の概要】
【発明が解決しようとする課題】
【０００５】
しかしながら、周壁開口５１が特に大きい場合には、音響抵抗体５２が振動しやすくなるため、振幅が大きい音波により音響抵抗体５２が振動し、指向周波数応答に凹凸が生じて異音が発生することがあった。
また、音響管５０に対し機械的振動が加えられ、特定の周波数で共振すると、異音が生じるという課題があった。
さらに、図５の径方向の断面図に示すように、前記音響管５０は、その保護のために筒状のマイクロホンケース６０に収容され使用されるが、前記マイクロホンケース６０に機械力（振動や衝撃）が加えられ、音響管５０が相対的に変位すると、異音が生じるという課題があった。
【０００６】
本発明は、前記した点に着目してなされたものであり、周壁に形成された開口が音響抵抗体により覆われ、後端にマイクロホンユニットが装着された音響管を、筒状のマイクロホンケースに収容してなる狭指向性マイクロホンにおいて、音響抵抗体の振動、及びマイクロホンケースに対する音響管の相対的変位を抑制し、異音の発生を防止することのできる狭指向性マイクロホンを提供することを目的とする。
【課題を解決するための手段】
【０００７】
前記した課題を解決するために、本発明に係る狭指向性マイクロホンは、周壁に開口が形成され、後端にマイクロホンユニットが連結された音響管と、前記音響管を収容する筒状のマイクロホンケースとを具備する狭指向性マイクロホンであって、前記音響管の外周面に設けられ、前記開口を覆う第１の音響抵抗材と、前記第１の音響抵抗材と前記マイクロホンケースの内周面との間に設けられ、厚み方向に所定の弾性力を有する第２の音響抵抗材とを備え、前記第２の音響抵抗材は、前記第１の音響抵抗材を覆うと共に、前記音響管に対し固定され、且つ、前記音響管の外周面と前記マイクロホンケースの内周面とに対し、その弾性力により押圧していることに特徴を有する。
尚、前記マイクロホンケースの周壁には、前記音響管の開口に対応して開口が形成され、前記第２の音響抵抗材は、前記音響管の外周面における開口の周縁部と前記マイクロホンケースの内周面における開口の周縁部とに対し、その弾性力により押圧していることが望ましい。
【０００８】
このように本発明に係る狭指向性マイクロホンの構成によれば、マイクロホンケースと第１の音響抵抗材との間に第２の音響抵抗材が設けられ、この第２の音響抵抗材が第１の音響抵抗材に対し、その弾性力によって押圧し（径方向内側に応力を加え）、第１の音響抵抗材の振動が抑制される。
また、マイクロホンケースと音響管とに対し、第２の音響抵抗材が押圧するため、マイクロホンケースと音響管との間の相対変位を抑えることができる。
即ち、第１の音響抵抗材の振動、及びマイクロホンケースに対する音響管の相対的変位が抑制されるため、異音の発生を防止することができる。
【０００９】
また、前記第２の音響抵抗材を覆うと共に、前記音響管に対し固定された金属網を備え、前記金属網は、前記マイクロホンケースの内周面に対し、前記第２の音響抵抗材の弾性力により押圧している構成であってもよい。
このように金属網を設けた場合、組立時において、音響管に金属網が固定されたものをマイクロホンケースに挿入する際、マイクロホンケースの内周面と金属網の外面とが摺動し易くなり、組立を容易なものとすることができる。
また、マイクロホンケースの開口に金属網が位置するため、静電遮断することができ、静電結合によるマイクロホン内部への外来雑音を防止することができる。
【発明の効果】
【００１０】
本発明によれば、周壁に形成された開口が音響抵抗体により覆われ、後端にマイクロホンユニットが装着された音響管を、筒状のマイクロホンケースに収容してなる狭指向性マイクロホンにおいて、音響抵抗体の振動、及びマイクロホンケースに対する音響管の相対的変位を抑制し、異音の発生を防止することができる。
【図面の簡単な説明】
【００１１】
【図１】図１は、本発明に係る狭指向性マイクロホンの第一の実施形態を示し、その主要部を正面から見た断面図である。
【図２】図２は、図１のＡ−Ａ矢視断面図（径方向の断面図）である。
【図３】図３は、図１の狭指向性マイクロホンの変形例を示す径方向の断面図である。
【図４】図４は、従来の狭指向性マイクロホンの外観を示す正面図である。
【図５】図５は、図４の狭指向性マイクロホンの径方向の断面図である。
【発明を実施するための形態】
【００１２】
以下、本発明の実施の形態を図面に基づき説明する。図１は本発明に係る狭指向性マイクロホンの第一の実施形態を示し、その主要部を正面から見た断面図である。また、図２は、図１のＡ−Ａ矢視断面図（径方向の断面図）であり、その一部（図１の手前側のみ）を拡大して示している。
図１に示す狭指向性マイクロホン１は、マイクロホンユニット（図示せず）が後端側に装着される円筒状の音響管２と、少なくとも前記音響管２を収容する（マイクロホンユニットと共に収容してもよい）円筒状のマイクロホンケース３とを具備する。
【００１３】
また、音響管２の周壁に軸線方向に形成された複数のスリット状の開口４は、第１の音響抵抗材５によって覆われている。第１の音響抵抗材５は、図１に示すように、例えば、開口４の形状に相似し、開口４の面積よりも大きく形成されている。また、前記第１の音響抵抗材５は、例えばポリエステル系の不織布により形成され、所定の音響抵抗を有している。
【００１４】
また、円筒状のマイクロホンケース３の周壁には、前記音響管２の開口４の位置に対応して複数の開口７が形成されている。この開口７は、例えば音響管２の開口４に相似し、開口４の開口面積よりも大きく開口している。
また、マイクロホンケース３の両端は開放されており、その先端（図１において上端）には、多数の孔が形成されたメッシュカバー８ａを有する先端カバー８が装着されている。
【００１５】
また、図２に示すように音響管２の開口４の形成位置（マイクロホンケース３の開口７の形成位置）には、マイクロホンケース３と第１の音響抵抗材５との間を埋めるように、第２の音響抵抗材６が設けられている。
この第２の音響抵抗材６は、その平面形状が図示するように第１の音響抵抗材５と相似形であって、より大きく形成され、第１の音響抵抗材５を覆うように設けられている。具体的には、図２に示すように、第１の音響抵抗材５を覆った状態で、音響管２の開口４の周縁部に対し、第１の音響抵抗材５と共に両面テープなどの接着部材９により取り付けられ、固定されている。
【００１６】
この第２の音響抵抗材６は、例えば、ポリエステル系の不織布により形成され、前記第１の音響抵抗材５の抵抗値に比べて充分に低い抵抗値（例えば３０分の１程度の抵抗値）を有し、第１の音響抵抗材５と第２の音響抵抗材６による合成抵抗が実用上、過度に大きくならないように設計されている。
また、第２の音響抵抗材６は、厚み方向に所定の弾性力を有し、マイクロホンケース４の内周面側の開口７の周縁部と、第１の音響抵抗材５と、音響管２の開口４の周縁部とに対しその弾性力により押圧している。
【００１７】
このように本発明に係る実施の形態においては、マイクロホンケース３と第１の音響抵抗材５との間に第２の音響抵抗材６が設けられ、この第２の音響抵抗材６が第１の音響抵抗材５に対し、その弾性力によって径方向内側に応力を加えている。
これにより、第１の音響抵抗材５の振動が抑制され、指向周波数応答に凹凸が生じること無いため、それに起因する異音の発生を防止することができる。
また、マイクロホンケース３と音響管２とに対し、第２の音響抵抗材６が押圧するため、マイクロホンケース３と音響管２との間の相対変位を抑えることができ、音響管２の振動に起因する異音の発生も防止することができる。
【００１８】
尚、本発明に係る狭指向性マイクロホンの実施の形態にあっては、図２の構成に限らず、図３に示すように、第２の音響抵抗材６を金属網１０により覆い、この金属網１０をマイクロホンケース３（開口７）と第２の音響抵抗材６との間に介在させるようにしてもよい。この場合、図示するように、接着部材９の面積を図２の構成時より大きく形成し、金属網１０の縁部を音響管２に対し接着させて固定すればよい。
このように構成することにより、組立時において、音響管２に金属網１０が固定されたものをマイクロホンケース３に挿入する際、マイクロホンケース３の内周面と金属網１０の外面とが摺動し易くなり、組立を容易なものとすることができる。
【００１９】
また、マイクロホンケース３の開口７に金属網１０が位置するため、静電遮断することができ、静電結合によるマイクロホン内部への外来雑音を防止することができる。
尚、その場合、図３に示すように金属網１０と音響管２とが接着部材９を介して電気的に接続されない構成でもよいが、金属網１０と音響管２とを電気的に接続することにより、より静電遮断の効果を増大させることができる。
【符号の説明】
【００２０】
１          狭指向性マイクロホン
２          音響管
３          マイクロホンケース
４          開口
５          第１の音響抵抗材
６          第２の音響抵抗材
７          開口
８          先端カバー
９          接着部材
【図１】
0005627014.tif 000002
【図２】
0005627014.tif 000003
【図３】
0005627014.tif 000004
【図４】
0005627014.tif 000005
【図５】
0005627014.tif 000006